(57)【要約】　　　（修正有）【課題】見た目に美しく、訴える力のある立体広告体であり、移動性があり、組み立て容易な立体掲示物を提供する。【解決手段】布地３の４隅の対角線上に、補強部４によって補強された筒状部を有する布体２と、前記対角線上で湾曲状に付勢して張着するに充分な長さを有する湾曲材５と、前記筒状部に端部を嵌挿して、湾曲状を形成した２本の前記湾曲材５のなす交差部５ａと、前記交差部５ａに掛着した弾性体１０と、を具備し、前記交差部５ａを布地に押着することによって、布体３を前記交差部５ａより放射状に湾曲展張したように形成した掲示物本体１であって、天井又は壁面に設置した懸架具１１に、前記弾性体１０を張架して得られる支持力によって、前記掲示物本体１が、天井又は壁面に、一カ所で保持されるように構成されている。【選択図】　　　　図２
0003099010.tif 000002
【実用新案登録請求の範囲】
【請求項１】
布地の４隅の対角線上に、補強部によって補強された筒状部を有する布体と、前記対角線上で湾曲状に付勢して張着するに充分な長さを有する湾曲材と、前記筒状部に端部を嵌挿して、湾曲状を形成した２本の前記湾曲材のなす交差部と、前記交差部に掛着した弾性体と、前記弾性体を張架する懸架具と、を具備し、
前記交差部を前記布地に押着することによって、前記布体を前記交差部より放射状に湾曲展張したように形成した掲示物本体であって、天井又は壁面に設置した前記懸架具に、前記弾性体を張架して得られる支持力によって、前記掲示物本体が、前記天井又は壁面に、一カ所で保持されるように構成されている立体掲示物。
【考案の詳細な説明】
【考案の詳細な説明】
【技術分野】
【０００１】　本考案は、宣伝広告を目的とした掲示物であって、立体的な掲示物に関するものである。
【背景技術】
【０００２】　不特定多数への広告宣伝具の多くは平面的であり、据置型が実用に共されているが、不特定多数の人の注意を喚起するには不十分であった。【０００３】　そこで、単に４角形傘型の掲示物が考えられた。　しかし、布地と骨組との比率が悪く布地の４隅に皺ができ、比率を調整する必要があった。さらに、布地の４隅に骨組を支えるストッパーが必要であり、キャップ状の金具を縫いつけたが、優美さに欠けるという欠点があった。【０００４】　この欠点は、広告宣伝に関して大きな障害である。具体的には、不特定多数の人の目にする掲示物としては致命的な問題であった。
【考案が解決しようとする課題】
【０００５】　解決しようとする問題点は、見た目に美しく、訴える力のある装飾的な立体広告体であり、移動性があって、しかも、組み立て容易な点であり、複数整列した場合の調整が容易な点である。
【課題を解決するための手段】
【０００６】　本考案の立体掲示物は、かかる課題を解決するために考案されたもので、布地の４隅の対角線上に、補強部によって補強された筒状部を有する布体と、前記対角線上で湾曲状に付勢して張着するに充分な長さを有する湾曲材と、前記筒状部に端部を嵌挿して、湾曲状を形成した２本の前記湾曲材のなす交差部と、
前記交差部に掛着した弾性体と、前記弾性体を張架する懸架具と、を具備し、
前記交差部を前記布地に押着することによって、前記布体を前記交差部より放射状に湾曲展張したようにして形成した掲示物本体であって、天井又は壁面に設置した懸架具に、前記弾性体を張架して得られる支持力によって、前記掲示物本体が、前記天井又は壁面に、一カ所で保持されるように構成されていることを特徴とする。
【考案を実施するための最良の形態】
【０００７】　掲示物を立体化するという目的を、掲示物本体と弾性体と懸架具とによって実現した。
【実施例１】
【０００８】　図１は、本考案の実施例になる掲示物本体を展示場などの部屋の天井に実装した説明図であり、図２（ａ）は、本考案の実施例になる立体掲示物の平面図であり、図２（ｂ）は、図２（ａ）のＡ−Ａ断面図である。本考案の立体掲示物は、弾性体１０を懸架具１１に張架して、掲示物本体１を天井に懸架してなる。【０００９】　掲示物本体１は、布地３の４隅の対角線上に、補強部４によって補強された筒状部３ｂを有する布体２と、前記対角線上で湾曲状に付勢して張着するに充分な長さを有する湾曲材５と、前記筒状部３ｂに端部を嵌挿して、湾曲状を形成した２本の前記湾曲材５のなす交差部５ａと、を具備し、前記交差部５ａに弾性体１０を掛着してなる。前記交差部５ａを前記布地３に押着することによって、前記布体２を前記交差部５ａより放射状に湾曲展張したように形成する。本実施例では、湾曲材５は、２本であり、材質はグラスファイバーで、太さは、約４ｍｍである。前記筒状部３ｂに嵌着した湾曲材５の一組の長さの合計は、布地３の対角線の長さの約１．０６倍である。布地３の大きさは、縦約８００ｍｍ、横１２００ｍｍであり、湾曲材５の長さは、約１５３０ｍｍである。布地３の大きさが、縦約８００ｍｍ、横８００ｍｍの場合は、約１２００ｍｍである。【００１０】　弾性体１０は、材質は問わないが、復元力があるものであって、湾曲材５の交差部５ａと懸架具１１を張架する。本実施例では、弾性体１０に平輪ゴムが用いられているが、コイルバネを用いてもよい。平輪ゴムの寸法は、概ね幅４ｍｍ厚さ１ｍｍ長さ１８０〜２００ｍｍである。前記平輪ゴムの復元力は、掲示物本体１の重量を支えるに充分である。本実施例の場合、掲示物本体１の重量は、約２，２００ｇである。【００１１】　懸架具１１は、掲示物本体１を取り付ける天井１２が石膏ボード製の場合は、図７に示すようにピン付き係止金具が便利である。掲示物本体１を取り付ける場所が壁であり、壁材が石膏ボード製の場合も、ピン付き係止金具が望ましい。掲示物本体１は、窓ガラスにも装着できる。掲示物本体１を取り付ける場所がガラス窓のような場合は、吸盤付きフックが利用できる。【００１２】　図３（ａ）は、布地３の隅部の縫合説明図であり、図３（ｂ）は、図３（ａ）のＡ−Ａ断面図である。布地３の４カ所の隅部の一部を縫合線３ａに沿って縫合する。縫合線３ａは、布地３の対角線上にあって、縫合線３ａの長さは、約５０ｍｍであり、布地３の表面に、直径約４．５ｍｍの筒状部３ｂを形成する。筒状部３ｂは開口部３ｃを有する。布地３の素材は、ポンジである。ポンジは、材質は、ポリエステル又はテトロンで、風合いがシルキーであり、印刷して裏ぬけがよく、宣伝広告用として広く使われている。また、よく延びるので、本考案において、実施するように、延ばしながら使うのには、最適な素材である。【００１３】　図４は、布地３の隅部に補強部材４ａを縫着した補強部４の平面図である。補強部材４ａを折り曲げ線４ｂに沿って折り曲げ、筒状部３ｂを包む。次に、縫着線４ｃに沿って、縫合する。非縫着線４ｄは、縫着しない部分であり、寸法は約１０ｍｍである。補強部材４ａは、合成皮革で、厚さ約１．２ｍｍ、形状は、３角形で、布地３の隅部を被覆して、布地３を補強するばかりでなく、布体２を展帳したときに、布地３の見苦しい皺の発生を防ぐ。【００１４】　図５は、図２のＢ部裏面拡大図であり、補強部４によって、補強された布地３の筒状部３ｂの開口部３ｃに湾曲材５を挿入した説明図である。【００１５】　図５、図９によって、掲示物本体１の組立手順を説明する。まず第１の湾曲材５と第２の湾曲材５とをＸ状に組み、その交点を交差部５ａとする。前記交差部５ａに弾性体１０（本実施例では、平輪ゴム）を掛着する。次に、前記第１の湾曲材５の両端部を、図５に示すように布地３の対角線上にある筒状部３ｂの開口部３ｃに挿入する。次に、前記第２の湾曲材５の両端部を、布地３の他の対角線上の筒状部３ｂの開口部３ｃに挿入する。【００１６】　布地３は、バイアス方向に延びている状態となり、湾曲材５は弓なりの状態となり、図９（ａ）に示すように、四つ手網状組立状態を形成する。次に、交差部５ａを捻りを含む矢印８の方向に捻りながら押し下げると、湾曲材５は布地３に密着する。布地３は、湾曲材５の反発力によって、図９（ｂ）に示すように放射状に、膨らんで、傘型に形成される。図９（ｂ）は、掲示物本体１の背面の斜視図である。この組立状態が、掲示物本体１である。本考案が、従来の広告用器具が平面的であるのに対して、立体的であるという由縁である。【００１７】　図１は、本考案の実施例になる掲示物本体１を部屋の天井１２に実装した説明図であり、この説明図と図２（ｂ）の断面図によって、掲示物本体１を部屋の天井１２に実装する手順を説明する。設置場所に、懸架具１１を設置しておく。設置場所の材質が石膏ボード製の場合、図７の懸架具（意匠登録第１１３４５５３号）が望ましく、設置場所の材質がガラスの場合、吸盤式懸架具が望ましい。掲示物本体１の傘型の頂点部分を、掲示物本体１の外側から把持し、内側の弾性体１０を伸ばしながら懸架具１１に引っ掛ける。掲示物本体１は、弾性体１０の復元力によって、天井又は壁に引きつけられるので、恰も、凧が舞い、蜘蛛が張り付いたような格好になるため、また、一瞥したとき、どのようにして、設置したか設置手段がわからないという意外な印象を消費者に与えるため、広告効果は大きい。また、設置場所を選ばず、特に狭隘な場所でも、取付作業が簡単で、密着性も優れている。本実施例では、掲示物本体１に掛架した弾性体１０を懸架具１１に張架したので、支持力が一点に集中し、従って、装着時の調整が容易である。また、複数整列するとき位置の微調整が容易であるという効果がある。
【実施例２】
【００１８】　筒状部にテープを使用する方式も本考案の一部である。他の実施例による筒状部を図８によって示す。図３の、筒状部３ｂに代わって、テープ７を利用しようとするものである。テープを二つ折りにして、縫着線７ａで縫着し、開口部７ｂを作成する。これを布地３に載置し、補強部材４ａで被覆し、その上から、開口部７ｂを除いて縫着する。この方法は、部品数が増える欠点があるが、布地を直接加工しないので、外観が美しいという効果がある。
【実施例３】
【００１９】　湾曲材を連結具によって接続する方式も本考案の一部である。他の実施例による掲示物本体１を図６と図１０によって示す。掲示物本体１は、布地３の４隅の対角線上に、補強部４によって補強された筒状部３ｂを有する布体と、２本のパイプ６ａよりなり、前記パイプは交差部６ｄを有し、前記パイプの両端に受容部６ｃを備える連結具６と、前記受容部６ｃに嵌装した一組の合計の長さが、前記対角線上で湾曲状に付勢して張着するに充分な長さを有する湾曲材５と、前記連結具６の前記交差部６ｄに掛架した弾性体１０と、を具備し、前記湾曲材５の一方の端部を前記筒状部３ｂの開口部３ｃに嵌挿し、前記湾曲材５の他の端部を前記受容部６ｃに嵌挿してなり、前記連結具６を前記布地３に押着することによって、前記布体２を前記交差部６ｄより放射状に湾曲展張したように形成されている。【００２０】　図２に示すと同様に、天井又は壁面に設置した懸架具１１に、前記弾性体１０を張架して得られる支持力によって、前記掲示物本体１が、前記天井又は壁面に、一カ所で保持されるように構成されている。【００２１】　図６（ａ）は、連結具６の平面図であり、図６（ｂ）は、連結具６の側面図である。連結具６は、２本の連結具材６ａとリベット６ｂとよりなる。連結具材６ａは、アルミパイプで、内径約４．５ｍｍ、長さ約６０ｍｍである。中央部分は、圧潰して平坦となし、圧潰部分を重ねて、交差部６ｄとなし、リベット６ｂで緩くかしめる。リベット６ｂは、アルミ製である。２本の連結具材６ａは、部材中央部で溶接してもよいが、ボルト締めか又はリベットかしめ式の方が角度が自由に変えられるばかりでなく、全体の組立時のコストが著しく下がるという利点がある。【００２２】　図５、図９によって、掲示物本体１の組立手順を説明する。まず連結具６に弾性体１０（本実施例では、平輪ゴム）を掛着する。次に、２本の連結具６の各受容部６ｃに、４本の湾曲材５を嵌挿する。その４本を第１から順に第４とする。第１の湾曲材５の端部を、図５に示すように布地３の対角線上にある筒状部３ｂの開口部３ｃに挿入する。次に、前記第３の湾曲材５の端部を、布地３の他の対角線上の筒状部３ｂの開口部３ｃに挿入する。【００２３】　布地３は、バイアス方向に延びている状態となる。次に、第２の湾曲材５の端部を、図５に示すように布地３の対角線上にある筒状部３ｂの開口部３ｃに挿入し、前記第４の湾曲材５の端部を、布地３の他の対角線上の筒状部３ｂの開口部３ｃに挿入する。湾曲材５は弓なりの状態となり、図９（ａ）に示すと同様に、四つ手網状組立状態を形成する。次に、交差部６ｄを捻りを含む矢印８の方向に捻りながら押し下げると、湾曲材５は布地３に密着する。布地３は、湾曲材５の反発力によって、図１０に示すように放射状に、膨らんで、傘型に形成される。図１０は、掲示物本体１の背面の斜視図である。
【考案の効果】
【００２４】　以上説明したように本考案の立体掲示物は、傘型で立体的であるため、不特定多数の人に目に付きやすく、告知効果が大きいという利点がある。また、傘が天井や壁に張り付いているように見え、意外性があるので、不特定多数の人にアッピールする利点もあり、量販店などの宣伝に適用して効果が大きい。本考案では、弾性体を懸架具に張架して得られる支持力が一点に集中しているので、掲示物本体の装着時の調整が容易であり、複数整列するとき位置の微調整が容易である。
【図面の簡単な説明】
【図１】本考案の実施例になる掲示物本体を部屋の天井に実装した説明図
【図２】（ａ）本考案の実施例になる掲示物本体の平面図　（ｂ）図２（ａ）のＡ−Ａ断面図
【図３】（ａ）布地隅部の縫合説明図　（ｂ）図３（ａ）のＡ−Ａ断面図
【図４】布地に補強部材を縫着した補強部の平面図
【図５】図２のＢ部裏面拡大図
【図６】（ａ）連結具の平面図　（ｂ）連結具の側面図
【図７】懸架具の平面図
【図８】本考案の他の実施例に係る部分展開説明図
【図９】（ａ）湾曲材を布体に組み込んだ状態の状態斜視図　（ｂ）掲示物本体背面の斜視図
【図１０】本考案の他の実施例になる掲示物本体背面の斜視図
【符号の説明】
　　１　掲示物本体
　　２　布体
　　３　布地
　　４　補強部
　　５　湾曲材
　　５ａ　交差部
　　６　連結具
　　７　テ−プ
　　８　矢印
　　１０　弾性体
　　１１　懸架具
　　１２　天井
【図１】
0003099010.tif 000003
【図２】
0003099010.tif 000004
【図３】
0003099010.tif 000005
【図４】
0003099010.tif 000006
【図５】
0003099010.tif 000007
【図６】
0003099010.tif 000008
【図７】
0003099010.tif 000009
【図８】
0003099010.tif 000010
【図９】
0003099010.tif 000011
【図１０】
0003099010.tif 000012